(57)【特許請求の範囲】
【請求項１】
通信機から通信を受信するよう構成されるインタフェースであって、前記通信は、周波数範囲に渡る複数のサブキャリア周波数を用いて複数のエンドポイントへ送信され、前記通信は、前記周波数範囲の狭帯域部分の外側にある前記複数のサブキャリア周波数のうちの少なくとも１つのサブキャリア周波数を用いて送信される少なくとも１つの第１の制御信号を含む、インタフェースと、
前記インタフェースに結合されるプロセッサであって、
前記エンドポイントに向けられる１又は複数の第２の制御信号について探索空間を探索し、前記探索空間は、前記周波数範囲の前記狭帯域部分の内側に位置する前記複数のサブキャリア周波数のうちの１又は複数のサブキャリア周波数を含み、前記周波数範囲の前記狭帯域部分の外側に位置するサブキャリア周波数は存在せず、
前記エンドポイントに向けられ少なくとも前記探索空間のサブキャリア周波数を用いて送信された少なくとも１つの前記第２の制御信号を復号化し、少なくとも１つの復号化された前記第２の制御信号は、前記エンドポイントへの前記通信の少なくとも１つのデータ信号を送信するために用いられる少なくとも１つの時間及び前記複数のサブキャリア周波数のうちの少なくとも１つのサブキャリア周波数セットを示し、
前記第２の制御信号に基づき、前記エンドポイントに向けられた前記少なくとも１つのデータ信号が前記狭帯域部分の内側に位置するサブキャリア周波数のみを用いて送信されていないと決定した場合、広帯域動作を実行することにより、前記エンドポイントへ送信された前記少なくとも１つのデータ信号を再生する、
よう構成される、プロセッサと、
を有するエンドポイント。
【請求項２】
前記プロセッサは、前記周波数範囲の前記狭帯域部分のみに対してアナログデジタル変換（ＡＤＣ）サンプリングを実行するよう更に構成される、請求項１に記載のエンドポイント。
【請求項３】
前記プロセッサは、前記周波数範囲全体に対してＡＤＣサンプリングを実行するよう更に構成される、請求項１に記載のエンドポイント。
【請求項４】
前記エンドポイントにより再生される前記少なくとも１つのデータ信号は、前記周波数範囲の前記狭帯域部分の外側にある複数の連続的周波数のうちの少なくとも１つの連続周波数セットを用いて、前記エンドポイントへ送信される、請求項３に記載のエンドポイント。
【請求項５】
前記プロセッサは、前記エンドポイントに向けられた前記１又は複数の第２の制御信号のための前記探索空間を探索する前に、アイドル又は休止状態から覚醒するよう更に構成される、請求項１に記載のエンドポイント。
【請求項６】
前記探索空間は第１の探索空間であり、前記プロセッサは、
前記通信機から後続の通信を受信し、前記後続の通信は、前記周波数範囲に渡る同じ複数のサブキャリア周波数を用いて送信され、
前記エンドポイントに向けられた１又は複数の追加制御信号のための第２の探索空間を探索し、前記第２の探索空間は、前記周波数範囲の前記狭帯域部分の外側に位置する前記複数のサブキャリア周波数のうち１又は複数のサブキャリア周波数を含む、
よう構成される、請求項１に記載のエンドポイント。
【請求項７】
前記通信からの前記通信は、周波数分割多重を用いて時間で多重化された複数のデータ信号及び制御信号を含む、請求項１に記載のエンドポイント。
【請求項８】
エンドポイントにより通信機から通信を受信するステップであって、前記通信は、周波数範囲に渡る複数のサブキャリア周波数を用いて複数のエンドポイントへ送信され、前記通信は、前記周波数範囲の狭帯域部分の外側にある前記複数のサブキャリア周波数のうちの少なくとも１つのサブキャリア周波数を用いて送信される少なくとも１つの第１の制御信号を含む、ステップと、
前記エンドポイントにより前記エンドポイントに向けられる１又は複数の第２の制御信号について探索空間を探索し、前記探索空間は、前記周波数範囲の前記狭帯域部分の内側に位置する前記複数のサブキャリア周波数のうちの１又は複数のサブキャリア周波数を含み、前記周波数範囲の前記狭帯域部分の外側に位置するサブキャリア周波数は存在しない、ステップと、
前記エンドポイントにより前記エンドポイントに向けられ少なくとも前記探索空間のサブキャリア周波数を用いて送信された少なくとも１つの前記第２の制御信号を復号化し、少なくとも１つの復号化された前記第２の制御信号は、前記エンドポイントへの前記通信の少なくとも１つのデータ信号を送信するために用いられる少なくとも１つの時間及び前記複数のサブキャリア周波数のうちの少なくとも１つのサブキャリア周波数セットを示す、ステップと、
前記第２の制御信号に基づき、前記エンドポイントに向けられた前記少なくとも１つのデータ信号が前記狭帯域部分の内側に位置するサブキャリア周波数のみを用いて送信されていないと決定した場合、広帯域動作を実行することにより、前記エンドポイントにより前記エンドポイントへ送信された前記少なくとも１つのデータ信号を再生するステップと、
を有する方法。
【請求項９】
前記周波数範囲の前記狭帯域部分のみに対してアナログデジタル変換（ＡＤＣ）サンプリングを実行するステップ、を更に有する請求項８に記載の方法。
【請求項１０】
前記周波数範囲全体に対してＡＤＣサンプリングを実行するステップ、を更に有する請求項８に記載の方法。
【請求項１１】
前記エンドポイントにより再生される前記少なくとも１つのデータ信号は、前記周波数範囲の前記狭帯域部分の外側にある複数の連続的周波数のうちの少なくとも１つの連続周波数セットを用いて、前記エンドポイントへ送信される、請求項１０に記載の方法。
【請求項１２】
前記エンドポイントに向けられた前記１又は複数の第２の制御信号のための前記探索空間を探索する前に、アイドル又は休止状態から覚醒するステップ、を更に有する請求項８に記載の方法。
【請求項１３】
前記探索空間は第１の探索空間であり、前記方法は、
前記通信機から後続の通信を受信するステップであって、前記後続の通信は、前記周波数範囲に渡る同じ複数のサブキャリア周波数を用いて送信される、ステップと、
前記エンドポイントに向けられた１又は複数の追加制御信号のための第２の探索空間を探索するステップであって、前記第２の探索空間は、前記周波数範囲の前記狭帯域部分の外側に位置する前記複数のサブキャリア周波数のうち１又は複数のサブキャリア周波数を含む、ステップと、
を更に有する請求項８に記載の方法。
【請求項１４】
前記通信からの前記通信は、周波数分割多重を用いて時間で多重化された複数のデータ信号及び制御信号を含む、請求項８に記載の方法。
【請求項１５】
ロジックを具現化する１又は複数の非一時的コンピュータ可読記憶媒体であって、前記ロジックは、プロセッサにより実行されると、
通信機から通信を受信し、前記通信は、周波数範囲に渡る複数のサブキャリア周波数を用いて複数のエンドポイントへ送信され、前記通信は、前記周波数範囲の狭帯域部分の外側にある前記複数のサブキャリア周波数のうちの少なくとも１つのサブキャリア周波数を用いて送信される少なくとも１つの第１の制御信号を含み、
前記エンドポイントに向けられる１又は複数の第２の制御信号について探索空間を探索し、前記探索空間は、前記周波数範囲の前記狭帯域部分の内側に位置する前記複数のサブキャリア周波数のうちの１又は複数のサブキャリア周波数を含み、前記周波数範囲の前記狭帯域部分の外側に位置するサブキャリア周波数は存在せず、
前記エンドポイントに向けられ少なくとも前記探索空間のサブキャリア周波数を用いて送信された少なくとも１つの前記第２の制御信号を復号化し、少なくとも１つの復号化された前記第２の制御信号は、前記エンドポイントへの前記通信の少なくとも１つのデータ信号を送信するために用いられる少なくとも１つの時間及び前記複数のサブキャリア周波数のうちの少なくとも１つのサブキャリア周波数セットを示し、
前記第２の制御信号に基づき、前記エンドポイントに向けられた前記少なくとも１つのデータ信号が前記狭帯域部分の内側に位置するサブキャリア周波数のみを用いて送信されていないと決定した場合、広帯域動作を実行することにより、前記エンドポイントへ送信された前記少なくとも１つのデータ信号を再生する、
よう構成される、媒体。
【請求項１６】
前記ロジックは、前記周波数範囲の前記狭帯域部分のみに対してアナログデジタル変換（ＡＤＣ）サンプリングを実行するよう更に構成される、請求項１５に記載の媒体。
【請求項１７】
前記ロジックは、前記周波数範囲全体に対してＡＤＣサンプリングを実行するよう更に構成される、請求項１５に記載の媒体。
【請求項１８】
前記エンドポイントにより再生される前記少なくとも１つのデータ信号は、前記周波数範囲の前記狭帯域部分の外側にある複数の連続的周波数のうちの少なくとも１つの連続周波数セットを用いて、前記エンドポイントへ送信される、請求項１７に記載の媒体。
【請求項１９】
前記ロジックは、前記エンドポイントに向けられた前記１又は複数の第２の制御信号のための前記探索空間を探索する前に、前記エンドポイントをアイドル又は休止状態から覚醒するよう更に構成される、請求項１５に記載の媒体。
【請求項２０】
前記探索空間は第１の探索空間であり、前記ロジックは、
前記通信機から後続の通信を受信し、前記後続の通信は、前記周波数範囲に渡る同じ複数のサブキャリア周波数を用いて送信され、
前記エンドポイントに向けられた１又は複数の追加制御信号のための第２の探索空間を探索し、前記第２の探索空間は、前記周波数範囲の前記狭帯域部分の外側に位置する前記複数のサブキャリア周波数のうち１又は複数のサブキャリア周波数を含む、
よう構成される、請求項１５に記載の媒体。
【請求項２１】
前記通信からの前記通信は、周波数分割多重を用いて時間で多重化された複数のデータ信号及び制御信号を含む、請求項１５に記載の媒体。
【発明の詳細な説明】
【技術分野】
【０００１】
本開示は、概して、エンドポイントによる低電力狭帯域動作のための方法及び装置に関する。
【背景技術】
【０００２】
アンテナシステムは、送信サイト又はエンドポイントのような複数の通信機を有し得る。送信サイトは基地局（無線要素制御（Radio  Element  Control）又はベースバンドユニット（Baseband  Unit）としても知られる）又はリモート送信サイト（無線要素（Radio  Element）又はリモート無線ヘッド（Remote  Radio  Head））であっても良い。送信サイトは、エンドポイントに無線ネットワークアクセスを提供する。送信サイトは、制御信号、データ信号、及び他の信号をエンドポイントへ送信しても良い。制御信号は、エンドポイントによるデータ信号の処理を実現し得る。
【発明の概要】
【発明が解決しようとする課題】
【０００３】
本発明は、エンドポイントによる低電力狭帯域動作のための方法及び装置を提供する。
【課題を解決するための手段】
【０００４】
本開示の種々の実施形態は、エンドポイントによる低電力狭帯域動作に関連する。例えば、一実施形態では、方法は、エンドポイントにより通信機から通信を受信するステップを有する。通信は、周波数範囲に渡る複数のサブキャリア周波数を用いて複数のエンドポイントへ送信される。通信は、周波数範囲の狭帯域部分の外側にある複数のサブキャリア周波数のうちの少なくとも１つのサブキャリア周波数を用いて送信される少なくとも１つの制御信号を有する。方法は、エンドポイントにより、エンドポイントに向けられた１又は複数の制御信号について探索空間を探索するステップを更に有する。探索空間は、周波数範囲の狭帯域部分の内側に位置する複数のサブキャリア周波数のうちの１又は複数のサブキャリア周波数を含み、周波数範囲の狭帯域部分の外側に位置するサブキャリア周波数は存在しない。エンドポイントは、エンドポイントに向けられ少なくとも探索空間のサブキャリア周波数を用いて送信された少なくとも１つの制御信号を復号化する。少なくとも１つの復号化された制御信号は、エンドポイントへの通信の少なくとも１つのデータ信号を送信するために用いられる少なくとも１つの時間及び複数のサブキャリア周波数のうちの少なくとも１つのサブキャリア周波数セットを示す。方法は、エンドポイントにより、エンドポイントへ送信された少なくとも１つのデータ信号を再生するステップを更に有する。
【０００５】
本発明の目的及び利点が理解され、特に特許請求の範囲で指摘された要素及び組合せを用いて達成されるだろう。
【０００６】
上述の全体的説明及び以下の詳細な説明の両方は、例示及び説明のためであり、本発明の範囲を限定しないことが理解される。
【図面の簡単な説明】
【０００７】
特定の実施形態並びにその特徴及び利点のより完全な理解のため、添付の図と共に以下の説明を参照する。
【図１】例示的な広帯域エンドポイント及び例示的な狭帯域エンドポイントと通信する例示的な送信サイトを含む例示的なシステムを示す。
【図２Ａ】図１の送信サイトにより送信される信号を表す例示的な通信図である。
【図２Ｂ】図１の送信サイトにより送信される信号を表す例示的な通信図である。
【図３】図１の送信サイトにより実行され得る広帯域及び狭帯域エンドポイントへ、制御信号、データ信号及び他の信号を送信する例示的な方法を示す。
【図４】図１の狭帯域エンドポイントにより実行され得る制御信号及びデータ信号を処理する例示的な方法を示す。
【図５】図１の狭帯域エンドポイントにより実行され得る制御信号及びデータ信号を処理する例示的な方法を示す。
【発明を実施するための形態】
【０００８】
図１は、広帯域エンドポイント１０４ａ及び狭帯域エンドポイント１０４ｂと通信する送信サイト１０２を含む例示的なシステム１００を示す。システム１００は、任意の適切な数の、互いに通信する送信サイト１０２及びエンドポイント１０４を有しても良い。システム１００は、セルのような地理的領域に渡り任意の適切な数のエンドポイント１０４に無線カバレッジを提供しても良い。例えば、送信サイト１０２は、ビル全体、街区、キャンパス、又は任意の他の領域に無線カバレッジを提供するために用いられても良い。送信サイト１０２は、無線サービスプロバイダ（ＷＳＰ）ネットワーク１０６又はインターネットサービスプロバイダ（ＩＳＰ）ネットワーク１０８のような１又は複数のネットワークに結合されても良い。送信サイト１０２は、エンドポイント１０４と、ＷＳＰネットワーク１０６若しくはＩＳＰネットワーク１０８に結合される１又は複数のノードとの間でデータを通信しても良い。
【０００９】
特定の実施形態では、送信サイト１０２は、（１０４ａのような）広帯域エンドポイント及び（１０４ｂのような）狭帯域エンドポイントの両方と通信可能である。広帯域エンドポイント１０４ａは、送信サイト１０２によるエンドポイント１０４への無線送信（例えば２００ｂ）の周波数範囲内（つまり、チャネル帯域幅）の任意のサブキャリア周波数を用いて送信される信号をデコードするよう構成されるエンドポイントである。一例として、送信サイト１０２が制御信号、データ信号、及び他の信号を、（３ＧＰＰ（３rdGeneration  Partnership  Project）Release１０以降で定められるような）ＬＴＥ（Long  Term  Evolution）又はＬＴＥ−Ａ（LTE-Advanced）標準を用いてエンドポイント１０４へ送信する場合、周波数範囲は、１．４ＭＨｚ、３ＭＨｚ、５ＭＨｚ、１０ＭＨｚ、１５ＭＨｚ、又は２０ＭＨｚであっても良い。各周波数範囲は、近隣のサブキャリア周波数を用いて送信される信号間の干渉を低減又は除去するために等間隔に離された複数の連続するサブキャリア周波数を有しても良い。例えば、ＬＴＥ又はＬＴＥ−Ａでは、連続するサブキャリア周波数は、互いに１５ｋＨｚ離されている。広帯域エンドポイント１０４ａと対照的に、狭帯域エンドポイント１０４ｂは、周波数範囲の一部の範囲内のサブキャリア周波数を用いて送信される信号を復号するよう構成される。したがって、狭帯域エンドポイント１０４ｂは、周波数範囲のサブキャリア周波数の部分集合（つまり、狭帯域）を用いて送信される信号を復号するよう構成されるだけであり、この部分集合の外側のサブキャリア周波数を用いて送信される信号を復号するよう構成されない。送信サイト１０２は、狭帯域エンドポイント１０４ｂの信号を伝達するサブキャリア周波数を狭帯域に制限することにより、狭帯域エンドポイント１０４ｂと通信できる。
【００１０】
狭帯域エンドポイント１０４ｂ及びそれらと無線通信するために用いられる方法は、従前の通信スキームに優る種々の利点を有する。通信中、狭帯域エンドポイント１０４ｂは、広帯域エンドポイント１０４ａにより実行される計算よりも複雑さの少ない計算を実行し得る。例えば、狭帯域エンドポイント１０４ｂは、該エンドポイントへ送信される信号を再生するとき、より小さなサイズの離散フーリエ変換（ＤＦＴ）を実行し、より低いサンプリングレートを有するアナログ−デジタル変換器（ＡＤＣ）を用いても良い。要求される計算の複雑性を低減することは、広帯域エンドポイント１０４ａに比べて、狭帯域エンドポイント１０４ｂの建設費を低くできる。例えば、マシン型通信（machine  type  communication：ＭＴＣ）装置のような低価格エンドポイント又はセンサノードは、狭帯域エンドポイントとして機能できる。低い計算の複雑性は、狭帯域エンドポイント１０４ｂに少ない電力しか使用させない。種々の実施形態では、これは、装置のバッテリサイクルを大幅に増大させ得る。例えば、エンドポイント１０４ｂは、送信サイト１０２が装置へデータを現在送信しているか否かを決定するために、アイドル又は休止状態から周期的に覚醒しても良い。狭帯域でのみ復号化することにより、エンドポイントは、自身が覚醒しデータを調べる度に電力の節約を実現し得る。特定の実施形態では、狭帯域エンドポイント１０４ｂは、送信サイト１０２がデータ信号を狭帯域エンドポイント１０４ｂへ送信し始めたと決定すると、広帯域エンドポイント１０４ａとしての動作に遷移しても良い。これは、エンドポイント１０４が狭帯域動作中に可能なよりも高いレートでデータを受信できるようにする。送信サイト１０２及び狭帯域エンドポイント１０４ｂの動作は、以下に詳述する。
【００１１】
送信サイト１０２は基地局（無線要素制御（Radio  Element  Control）又はベースバンドユニット（Baseband  Unit）としても知られる）又はリモート送信サイト（無線要素（Radio  Element：ＲＥ）又はリモート無線ヘッド（Remote  Radio  Head：ＲＲＨ））であっても良い。特定の状況では、リモート送信サイトである送信サイト１０２は、基地局である別の送信サイトの延長として動作しても良い。例えば、リモート送信サイトは、エンドポイント１０４が基地局の近くに置かれた場合に、基地局によりエンドポイントへ送信され得る無線信号と同様の無線信号をエンドポイント１０４へ送信しても良い。
【００１２】
送信サイト１０２は、ハードウェア、ソフトウェア、コンピュータ可読媒体に埋め込まれたソフトウェア、及び／又はシステム１００内で有線若しくは無線で情報を交換できる任意の数の通信プロトコルを実装するハードウェアに組み込まれた若しくは他の格納されたエンコードされたロジック、の任意の組合せを有しても良い。送信サイト１０２は、制御信号、データ信号、及び他の信号をエンドポイント１０４と交換するよう動作しても良い。送信サイト１０２は、１又は複数の有線接続を介して他の送信サイト１０２に結合されても良い。これらの有線接続は、光ファイバのような任意の適切な材料を有しても良い。送信サイト１０２は、任意の適切な技術又はプロトコル（例えばＣＰＲＩ（Common  Public  Radio  Interface））を用いて、互いに通信しても良い。
【００１３】
送信サイト１０２は、１又は複数のアンテナ１１０を介する無線通信を用いてエンドポイント１０４と通信しても良い。特定の実施形態では、送信サイト１０２は、１又は複数の他の送信サイト１０２と協調して、エンドポイント１０４と通信しても良い。例えば、送信サイト１０２は、１又は複数の他の送信サイト１０２と協調して、ＭＩＭＯ送信スキームを用いてエンドポイント１０４と通信しても良い。ここで、ＭＩＭＯ送信スキームでは、複数の送信アンテナ１１０が異なる送信サイト１０２に配置され、１又は複数の受信アンテナ（例えばアンテナ１２２）がエンドポイント１０４に配置される。したがって、本願明細書において１又は複数のエンドポイント１０４と通信する単一の送信サイトについての言及は、複数の送信サイト１０２が１又は複数のエンドポイント１０４と共同で通信することも表し得る。送信サイト１０２は、ＯＦＤＭＡ（orthogonal  frequency  division  multiple  access）及び３ＧＰＰ  Ｒｅｌｅａｓｅ１０以降で定められるようなＬＴＥ−Ａプロトコルを含むがこれらに限定されない種々の異なる無線技術のうちの任意のものを用いてエンドポイント１０４と通信しても良い。
【００１４】
アンテナ１１０、１２２、１３４は、データ又は信号を無線で送信及び受信可能な任意の適切な種類のアンテナであっても良い。幾つかの実施形態では、アンテナ１１０、１２２又は１３４は、２ＧＨｚ乃至６６ＧＨｚの間のような任意の適切な周波数で無線信号を送信／受信するよう動作可能な１又は複数の全方向性セクタ又はパネルアンテナを有しても良い。全方向性アンテナは、無線信号を任意の方向に送信／受信するために用いることができる。セクタアンテナは、特定領域内の装置から無線信号を送信／受信するために用いることができる。また、パネルアンテナは、比較的直線的に無線信号を送信／受信するために用いられる視線アンテナであっても良い。
【００１５】
システム１００は、ＩＳＰネットワーク１０８及びＷＳＰネットワーク１０６のような種々のネットワークを含むネットワークを有してもよい。幾つかの実施形態では、ネットワークは、インターネット、ＬＡＮ（local  area  network）、ＷＡＮ（wide  area  network）、ＭＡＮ（metropolitan  area  network）、ＰＳＴＮ（public  switched  telephone  network）、又はこれらの特定の組合せのような１又は複数のネットワークを有しても良い。特定の実施形態では、ＩＳＰネットワーク１０８は、インターネット、ＬＡＮ，ＷＡＮ、ＭＡＮ、ＰＳＴＮ又はこれらの特定の組合せを含むがこれらに限定されない１又は複数のネットワークを介して、ＷＳＰネットワーク１０６に結合されてもよい。幾つかの実施形態では、ＩＳＰはネットワークノード（例えば、コンピュータシステム）にホームネットワークアクセスを提供しても良い。ＩＳＰネットワーク１０８は、モデム、ゲートウェイ（例えば、ＩＳＰゲートウェイ）、又は他の適切なコンポーネントを有しても良い。
【００１６】
特定の実施形態では、ＷＳＰネットワーク１０６は、種々のサーバ、ゲートウェイ、スイッチ、ルータ及び無線サービスの提供に用いられる他のノードを有しても良い。幾つかの実施形態では、サーバは、ＯＡＭ＆Ｐ（Operation,  Administration,  Maintenance  and  Provisioning）サーバ、ＮＡＰ（Network  Access  Provider）サーバ、ＡＡＡ（Authentication,  Authorization,  and  Accounting）サーバ、ＳＯＮ（Self  Organizing  Network）サーバ、又はＷＳＰが（１０２のような）１又は複数の送信サイトを構成／認証する必要がありユーザに無線サービスを提供する任意の他のサーバのような１又は複数のサーバを有してもよい。ＷＳＰのゲートウェイは、ＷＳＰネットワーク１０６をＩＳＰネットワーク１０８と結合するために必要な任意のハードウェア又はソフトウェアを有してもよい。例えば、特定の実施形態では、ゲートウェイは、セキュリティゲートウェイを有し、セキュリティゲートウェイの後方にＡＳＮ（Access  Service  Network）ゲートウェイを有してもよい。幾つかの実施形態では、ＷＳＰネットワーク１０６は、ＯＦＤＭＡ（Orthogonal  Frequency-Division  Multiple  Access、直交周波数分割多重アクセス）に対応し又は実装しても良い。
【００１７】
送信サイト１０２に結合されるネットワークのうちの任意のものは、エンドポイント１０４にサービス及びデータを提供するために、ウェブページ、電子メール、テキストチャット、ＶｏＩＰ（voice  over  IP）及びインスタントメッセージを通じて送信される信号、データ又はメッセージを含む、信号、データ又はメッセージを送信可能であっても良い。特定の実施形態では、送信サイト１０２は、セル間のハンドオフを実現し及び他の機能を提供する基地局制御部とも通信する。
【００１８】
エンドポイント１０４は、直接に又は１又は複数の他の送信サイト１０２を介して送信サイト１０２へデータ又は信号を送信し及び受信可能な任意の種類の無線装置を有しても良い。エンドポイント１０４の幾つかの例は、デスクトップコンピュータ、ＰＤＡ、携帯電話機、ラップトップ、ＶｏＩＰ電話機、ＭＴＣ装置、又はセンサノードを含む。エンドポイント１０４は、ハードウェア、コンピュータ可読媒体に埋め込まれたソフトウェア、又はハードウェアに組み込まれた若しくは他の格納されたエンコードされたロジック（例えば、ファームウェア）のうちの任意の組合せを通じて、ユーザにデータ又はネットワークサービスを提供しても良い。
【００１９】
エンドポイント１０４は、無人の又は自動化されたシステム、ゲートウェイ、他の中間構成要素、或いはデータ又は信号を送信又は受信し得る他の装置も有しても良い。
【００２０】
送信サイト１０２、エンドポイント１０４、及びＷＳＰネットワーク又はＩＳＰネットワーク１０８のノードは、それぞれ、１又は複数のコンピュータシステムの１又は複数の部分を有しても良い。特定の実施形態では、１又は複数のこれらのコンピュータシステムは、本願明細書に記載又は説明される１又は複数の方法の１又は複数のステップを実行しても良い。特定の実施形態では、１又は複数のコンピュータシステムは、本願明細書に記載又は説明された機能を提供しても良い。特定の実施形態では、１又は複数のコンピュータシステムで実行するエンコードされたソフトウェアは、本願明細書に記載又は説明された１又は複数の方法の１又は複数のステップを実行するか、本願明細書に記載又は説明された機能を提供する。
【００２１】
送信サイト１０２又はエンドポイント１０４の構成要素は、任意の適切な物理的形態、構成、数、種類又は配置を有してもよい。一例として且つ限定的でなく、送信サイト１０２、エンドポイント１０４及び無線ユーザエンドポイント１４０は、組み込み型コンピュータシステム、システムオンチップ（ＳＯＣ）、（例えば、コンピュータオンモジュール（ＣＯＭ）又はシステムオンモジュール（ＳＯＭ）のような）単一基板コンピュータシステム（ＳＢＣ）、デスクトップコンピュータシステム、ラップトップ又はノートブックコンピュータシステム、対話型キオスク、メインフレーム、コンピュータシステムのメッシュ、携帯電話機、パーソナルデジタルアシスタント（ＰＤＡ）、サーバ又はこれらの２以上の任意の組み合わせであっても良い。適切な場合には、送信サイト１０２又はエンドポイント１０４は、１又は複数のコンピュータシステムを有し、中央集中型若しくは分散型であってよく、複数の場所に渡って良く、複数の装置に渡って良く、１又は複数のネットワーク内の１又は複数のクラウドコンポーネントを有するクラウドの中に存在しても良い。
【００２２】
図示の実施形態では、送信サイト１０２及びエンドポイント１０４は、それぞれ、それら自身の対応するプロセッサ１１２、１２４、１３６、メモリ１１４、１２８、１４０、記憶装置１１８、１３０、１４２、インタフェース１２０、１３２、１４４、及びバス１１６、１２６、１３８を有する。特定のシステムが特定の数の特定のコンポーネントを特定の構成で有するように示されたが、本開示は、任意の適切な数の任意の適切なコンポーネントを任意の適切な構成で有する任意の適切なシステム１００も包含する。簡単のため、送信サイト１０２及びエンドポイント１０４の同様のコンポーネントは、送信サイト１０２のコンポーネントを参照しながら一緒に議論される。しかしながら、これらの装置が同じ構成要素又は同じ種類の構成要素を有する必要はない。例えば、プロセッサ１１２は汎用マイクロプロセッサであっても良く、プロセッサ１２４は特定用途集積回路（ＡＳＩＣ）であっても良い。
【００２３】
プロセッサ１１２は、独立して又は他の構成要素（例えば、それぞれメモリ１１４）と関連して無線ネットワーク機能を提供するよう動作するマイクロプロセッサ、制御部又は任意の他の適切なコンピューティング装置、リソース又はハードウェア、ソフトウェア若しくはエンコードされたロジックであっても良い。このような機能は、本願明細書で議論される種々の無線機能を提供することを含んでも良い。少なくとも部分的にプロセッサ１１２により提供される追加の例及び機能は以下に議論される。
【００２４】
特定の実施形態では、プロセッサ１１２は、コンピュータプログラムを構成する命令のような命令を実行するハードウェアを有する。例として且つ限定ではなく、命令を実行するために、プロセッサ１１２は、内部レジスタ、内部キャッシュ、メモリ１１４又は記憶装置１１８から命令を読み出し（又はフェッチし）、それらをデコードして実行し、次に内部レジスタ、内部キャッシュ、メモリ１１４又は記憶装置１１８に１又は複数の結果を書き込む。
【００２５】
特定の実施形態では、プロセッサ１１２は、データ、命令又はアドレスのための１又は複数の内部キャッシュを有してもよい。本開示は、適切な場合には任意の適切な数の任意の適切な内部キャッシュを有するプロセッサ１１２も包含する。例として且つ限定ではなく、プロセッサ１１２は、１又は複数の命令キャッシュ、１又は複数のデータキャッシュ、１又は複数のＴＬＢ（translation  lookaside  buffers）を有してもよい。命令キャッシュ内の命令は、メモリ１１４又は記憶装置１１８内の命令のコピーであり、命令キャッシュは、プロセッサ１１２によるこれらの命令の読み出しを高速化できる。データキャッシュ内のデータは、プロセッサ１１２において実行しそのデータに作用する命令のためのメモリ１１４又は記憶装置１１８内のデータのコピー、プロセッサ１１２において後に実行する命令によりアクセスするための又はメモリ１１４若しくは記憶装置１１８に書き込むためのプロセッサ１１２において実行された前の命令の結果のコピー、又は他の適切なデータのコピーであってもよい。データキャッシュは、プロセッサ１１２によるリード又はライト動作を高速化できる。ＴＬＢは、プロセッサ１１２のための仮想アドレス変換を高速化できる。特定の実施形態では、プロセッサ１１２は、データ、命令又はアドレスのための１又は複数の内部レジスタを有してもよい。実施形態に依存して、プロセッサ１１２は、適切な場合には任意の適切な数の任意の適切な内部レジスタを有しても良い。適切な場合には、プロセッサ１１２は、１又は複数のＡＬＵ（arithmetic  logic  unit）を有してもよく、マルチコアプロセッサであってもよく、又は１又は複数のプロセッサ１１２を有してもよい。
【００２６】
メモリ１１４は、磁気媒体、光学媒体、ＲＡＭ（Random  Access  Memory）、ＲＯＭ（Read  Only  Memory）、フラッシュメモリ、リムーバブル媒体又は任意の他の適切な１又は複数のローカル若しくはリモートメモリ構成要素を含む揮発性若しくは不揮発性メモリの任意の形態であってもよい。特定の実施形態では、メモリ１１４は、ＲＡＭ（random  access  memory）を含む。このＲＡＭは、適切な場合には揮発性メモリであってもよい。適切な場合には、このＲＡＭはＤＲＡＭ（dynamic  RAM）又はＳＲＡＭ（static  RAM）であってもよい。さらに、適切な場合には、このＲＡＭは、単一ポート又は複数ポートのＲＡＭ、又は任意の他の適切な種類のＲＡＭ若しくはメモリであっても良い。メモリ１１４は、適切な場合には、１又は複数のメモリ１１４を有してもよい。メモリ１１４は、送信サイト１０２により利用される任意の適切なデータ又は情報を格納しても良い。例えば、メモリ１１４は、ロジック１１５を有しても良い。ロジック１１５は、コンピュータ可読媒体内に具現化されたソフトウェア、又はハードウェアに組み込まれた若しくはそれに格納された符号化されたロジック（例えば、ファームウェア）を有しても良い。特定の実施形態では、ロジック１１５は、送信サイト１０２の機能を実行するために実行されても良い。同様に、ロジック１２９及び１４１は、それぞれ広帯域エンドポイント１０４ａ及び狭帯域エンドポイント１０４ｂの機能を実行するために実行されても良い。特定の実施形態では、メモリ１１４は、プロセッサ１１２が実行するための命令又はプロセッサ１１２が作用するためのデータを格納する主記憶を有しても良い。特定の実施形態では、１又は複数のＭＭＵ（memory  management  unit）は、プロセッサ１１２とメモリ１１４との間に存在し、プロセッサ１１２により要求されるメモリ１１４へのアクセスを実現する。
【００２７】
例として且つ限定的でなく、送信サイト１０２は、記憶装置１１８又は別の情報源（例えば、別のコンピュータシステム、別の基地局、又はリモート送信サイトのような）からメモリ１１４へ命令をロードしても良い。プロセッサ１１２は、次に、メモリ１１４から内部レジスタ又は内部キャッシュに命令をロードしてもよい。命令を実行するために、プロセッサ１１２は、内部レジスタ又は内部キャッシュから命令を読み出し、それらをデコードしてもよい。命令の実行中又は実行後、プロセッサ１１２は、１又は複数の結果（中間結果又は最終結果であってもよい）を内部レジスタ又は内部キャッシュに書き込んでも良い。プロセッサ１１２は、次に、１又は複数のこれらの結果をメモリ１１４に書き込んでもよい。特定の実施形態では、プロセッサ１１２は、（記憶装置１１８又は別の場所ではなく）１又は複数の内部レジスタ又は内部キャッシュ内の又はメモリ１１４内の命令のみを実行し、（記憶装置１１８又は別の場所ではなく）１又は複数の内部レジスタ又は内部キャッシュ内の又はメモリ１内のデータのみに作用するしても良い。
【００２８】
特定の実施形態では、記憶装置１１８は、データ又は命令のための大容量記憶装置を含んでも良い。例として且つ限定ではなく、記憶装置１１８は、ＨＤＤ、フロッピー(登録商標)ディスクドライブ、フラッシュメモリ、光ディスク、光磁気ディスク、磁気テープ、又はＵＳＢ（Universal  Serial  Bus）ドライブ又はこれらの２以上の組合せを有してもよい。記憶装置１１８は、適切な場合には、リムーバブル又は非リムーバブル（若しくは固定）媒体を有してもよい。記憶装置１１８は、適切な場合には、送信サイト１０２の内部又は外部にあってもよい。特定の実施形態では、記憶装置１１８は不揮発性の固体メモリであっても良い。特定の実施形態では、記憶装置１１８はＲＯＭ（read-only  memory）であっても良い。適切な場合には、このＲＯＭは、マスクプログラムＲＯＭ、プロブラマブルＲＯＭ（ＰＲＯＭ）、消去可能なＰＲＯＭ（ＥＰＲＯＭ）、電気的に消去可能なＰＲＯＭ（ＥＥＰＲＯＭ）、電気的に消去再書き込み可能なＲＯＭ（ＥＡＲＯＭ）若しくはフラッシュメモリ又はこれらの２以上の組み合わせであってもよい。記憶装置１１８は、任意の適切な物理的形態をとっても良く、任意の適切な数の若しくは種類の記憶装置を有しても良い。記憶装置１１８は、適切な場合には、プロセッサ１１２と記憶装置１１８との間の通信を実現する１又は複数の記憶装置制御ユニットを有してもよい。
【００２９】
特定の実施形態では、インタフェース１２０は、送信サイト１０２、エンドポイント１０４、任意のネットワーク、任意のネットワーク装置、又は任意の他のコンピュータシステムとの間の通信（例えば、パケットに基づく通信）のための１又は複数のインタフェースを提供するハードウェア、エンコードされたソフトウェア、又はその両者を有しても良い。例として且つ限定的でなく、通信インタフェース１２０は、イーサネット(登録商標)又は他の有線ネットワークと通信するためのネットワークインタフェース制御部（ＮＩＣ）若しくはネットワークアダプタ、又は無線ネットワークと通信するための無線ＮＩＣ（ＷＮＩＣ）若しくは無線アダプタを有してもよい。
【００３０】
幾つかの実施形態では、インタフェース１２０は、１又は複数のアンテナポート１１０に結合された１又は複数の無線通信機を有する。このような実施形態では、インタフェース１２０は、無線接続を介して、エンドポイント１０４のような無線装置へ送出されるべきデジタルデータを受信する。無線通信機は、デジタルデータを適切な中心周波数、帯域幅パラメータ、及び送信電力を有する無線信号に変換してもよい。
【００３１】
同様に、無線機は、１又は複数の受信アンテナにより受信した無線信号を、例えばプロセッサ１１２により処理されるべきデジタルデータに変換しても良い。
【００３２】
実施形態に依存して、インタフェース１２０は、システム１００が用いられる任意の種類のネットワークに適する任意の種類のインタフェースであっても良い。例として且つ限定ではなく、システム１００は、アドホックネットワーク、ＰＡＮ（personal  area  network）、ＬＡＮ、ＷＡＮ、ＭＡＮ、又はインターネットの１又は複数の部分、又はこれらの２以上の組合せと通信しても良い。１又は複数のこれらのネットワークの１又は複数の部分は、有線又は無線であっても良い。例として、システム１００は、無線ＰＡＮ（ＷＰＡＮ）（例えばＢｌｕｅｔｏｏｔｈ(登録商標)  ＷＰＡＮのような）、ＷＩ−ＦＩネットワーク、Ｗｉ−ＭＡＸネットワーク、ＬＴＥネットワーク、ＬＴＥ−Ａネットワーク、携帯電話網（例えば、移動通信網（Global  System  for  Mobile  Communications：ＧＳＭ(登録商標)）のような）、又は任意の他の適切な無線ネットワーク又はこれらの２つ以上の組み合わせと通信しても良い。送信サイト１０２は、適切な場合には、これらのネットワークのうちの任意の１又は複数のための任意の適切なインタフェース１２０を有しても良い。
【００３３】
幾つかの実施形態では、インタフェース１２０は、１又は複数のＩ／Ｏ装置のための１又は複数のインタフェースを有しても良い。これらのＩ／Ｏ装置のうちの１又は複数は、人間と送信サイト１０２との間の通信を可能にし得る。例として且つ限定的でなく、Ｉ／Ｏ装置は、キーボード、キーパッド、マイクロホン、モニタ、マウス、プリンタ、スピーカ、カメラ、スタイラス、タブレット、タッチスクリーン、トラックボール、ビデオカメラ、他の適切なＩ／Ｏ装置又はこれらの２つ以上の組み合わせを有しても良い。Ｉ／Ｏ装置は、１又は複数のセンサを有してもよい。特定の実施形態は、任意の適切な種類の又は数のＩ／Ｏ装置、及びそれらＩ／Ｏ装置のための任意の適切な種類又は数のインタフェース１２０を有しても良い。適切な場合には、インタフェース１２０は、プロセッサ１１２がこれらのＩ／Ｏ装置のうちの１又は複数を駆動することを可能にする１又は複数のドライバを有しても良い。メモリ１２０は、適切な場合には、１又は複数のインタフェース１２０を有してもよい。
【００３４】
バス１１６は、送信サイト１０２のコンポーネントを互いに結合するために、ハードウェア、コンピュータ可読媒体に埋め込まれたソフトウェア、又はハードウェアに組み込まれた若しくは他の格納されたエンコードされたロジック（例えば、ファームウェア）の任意の組合せを有しても良い。例として且つ限定的でなく、バス１１６は、ＡＧＰ（Accelerated  Graphics  Port）又は他のグラフィック・バス、ＥＩＳＡ（Enhanced  Industry  Standard  Architecture）バス、ＦＳＢ（front-side  bus）、HYPERTRANSPORT(HT)相互接続、ＩＳＡ（Industry  Standard  Architecture）バス、INFINIBAND相互接続、ＬＰＣ（low-pin-count）バス、メモリバス、ＭＣＡ（Micro  Channel  Architecture）バス、ＰＣＩ（Peripheral  Component  Interconnect）バス、PCI-Express（PCI-Ｘ）バス、ＳＡＴＡ（serial  advanced  technology  attachment）バス、ＶＬＢ（Video  Electronics  Standards  Association  local）バス若しくは任意の他の適切なバス又はこれらの２つ以上の組み合わせを有しても良い。バス１１６は、適切な場合には、任意の数、種類、又は構成のバス１１６を有しても良い。特定の実施形態では、１又は複数のバス１１６（それぞれ、アドレスバス及びデータバスを含んでも良い）は、プロセッサ１１２をメモリ１１４に結合し得る。バス１１６は、１又は複数のメモリバスを有しても良い。
【００３５】
ここで、コンピュータ可読記憶媒体という表現は、１又は複数の有形のコンピュータ可読記憶媒体処理構造を包含する。例として且つ限定ではなく、コンピュータ可読記憶媒体は、適切な場合には、半導体に基づく又は他の集積回路（ＩＣ）（例えば、ＦＰＧＡ（field-progratnmable  gate  array）又はＡＳＩＣ（application-specific  IC））、ハードディスク、ＨＤＤ、ＨＨＤ（hybrid  hard  drive）、光ディスク、光ディスクドライブ（ＯＤＤ）、光磁気ディスク、光磁気ドライブ、フロッピーディスク、フロッピーディスクドライブ（ＦＤＤ）、磁気テープ、ホログラフィック記憶媒体、固体ドライブ（ＳＳＤ）、ＲＡＭドライブ、ＳＥＣＵＲＥ  ＤＩＧＩＴＡＬカード、ＳＥＣＵＲＥ  ＤＩＧＩＴＡＬドライブ、フラッシュメモリカード、フラッシュメモリドライブ、若しくは任意の他の適切な有形コンピュータ可読記憶媒体、又はこれらの２つ以上の組み合わせを有しても良い。
【００３６】
特定の実施形態は、任意の適切な記憶装置を実装する１又は複数のコンピュータ可読記憶媒体を包含し得る。特定の実施形態では、適切な場合には、コンピュータ可読記憶媒体は、１又は複数のプロセッサ１１２（例えば、１又は複数の内部レジスタ又はキャッシュのような）、メモリ１１４の１又は複数の部分、記憶装置１１８の１又は複数の部分、又はこれらの組み合わせを実装する。特定の実施形態では、コンピュータ可読記憶媒体はＲＡＭ又はＲＯＭを実装する。特定の実施形態では、コンピュータ可読記憶媒体は揮発性又は永久メモリを実装する。特定の実施形態では、１又は複数のコンピュータ可読記憶媒体は、エンコードされたソフトウェアを統合する。
【００３７】
ここで、エンコードされたソフトウェアという表現は、適切な場合には、コンピュータ可読記憶媒体に格納又はエンコードされた１又は複数のアプリケーション、バイトコード、１又は複数のプログラム、１又は複数の実行ファイル、１又は複数の命令、ロジック、機械コード、１又は複数のスクリプト、又はソースコードを包含し、及び逆も同様である。特定の実施形態では、エンコードされたソフトウェアは、コンピュータ可読記憶媒体に格納又はエンコードされた１又は複数のＡＰＩ（application  programming  interface）を包含する。特定の実施形態は、任意の適切な種類若しくは数のコンピュータ可読記憶媒体に格納され又はエンコードされた、任意の適切なプログラミング言語若しくはプログラミング言語の組合せで記述され若しくは表現された任意の適切なエンコードされたソフトウェアを用いても良い。特定の実施形態では、エンコードされたソフトウェアは、ソースコード又はオブジェクトコードとして表現されても良い。特定の実施形態では、エンコードされたソフトウェアは、例えば、Ｃ、Ｐｅｒｌ又はそれらの適切な拡張のようなハイレベルプログラム言語で表現される。特定の実施形態では、エンコードされたソフトウェアは、アセンブラ言語（若しくは機械コード）のようなローレベルプログラム言語で表現される。特定の実施形態では、エンコードされたソフトウェアは、ＪＡＶＡ(登録商標)で表現される。特定の実施形態では、エンコードされたソフトウェアは、ＨＴＭＬ（Hyper  Text  Markup  Language）、ＸＭＬ（Extensible  Markup  Language）又は他の適切なマークアップ言語で表現される。
【００３８】
図１は特定のコンポーネントを有するとして上述されたが、当業者により理解されるように、図１のシステムは、記載されたコンポーネントのうちの任意のもの及び本願明細書に記載されたオプション若しくは機能のうちの任意のものの任意の組合せを含んでも良い。例えば、本願明細書に記載のオプション又は特徴のうちの任意のものは、図１に示した実施形態と組み合わせて使用され、及び／又は本願明細書に記載の任意の数の他のオプション又は特徴も、当業者に理解される。
【００３９】
種々の実装及び機能が複数の実施形態に関して議論されるが、このような実装及び機能は種々の実施形態の中で結合されても良いことが理解されるべきである。例えば、図１のような特定の図に関して議論される機能及び機能性は、運用上の必要又は要望に従って、図２、３、４、又は５のような別の図に関して議論される機能及び機能性と関連して用いられても良い。
【００４０】
図２Ａ及び２Ｂは、１又は複数の広帯域エンドポイント１０４ａ及び１又は複数の狭帯域エンドポイント１０４ｂへ情報を送信するために送信サイト１０２により用いられる通信２００を示す例示的な通信図である。図２Ａの図は、広帯域エンドポイント１０４ａへ情報を送信するために用いられる通信２００ａを示し、図２Ｂの図は、広帯域エンドポイント１０４ａ及び狭帯域エンドポイント１０４ｂへ情報を送信するために用いられる通信２００ｂを示す。各図の水平軸は時間であり、垂直軸は周波数である。
【００４１】
通信２００ａは、時間単位（サブフレーム２０２）、及びそれぞれ１又は複数のサブキャリア周波数を有する周波数セット２０４に分けられる。図示の実施形態では、各サブフレーム２０２は、１２個のシンボルを送信するために必要な時間量（例えば、ＬＴＥ−Ａ送信スキームでは１ｍｓ）を表し、各周波数セット２０４ａは、１２個の連続するサブキャリア周波数を表す。サブキャリア周波数は、近隣のサブキャリア周波数を用いて送信される信号間の干渉を低減又は除去するために、等間隔に離されても良い。一例として、連続的なサブキャリア周波数のセットは、３．００００６０ＧＨｚ、３．００００７５ＧＨｚ、３．００００９０ＧＨｚ、３．０００１０５ＧＨｚ、等を有しても良い。周波数セット２０４の集合体は、通信２００ａの周波数範囲を表す。つまり、周波数範囲は、セット２０４ａの最低周波数からセット２０４ｐの最高周波数にまで及び、これら２つの周波数の間の各サブキャリア周波数を含む。
【００４２】
特定の実装では、特定の時間量の間に１又は複数の信号を送信するために用いられる連続するサブキャリア周波数のセット２０４は、ブロックを形成しても良い。ブロックは、任意の数のサブキャリア周波数及び任意の適切な数のデータシンボルを有しても良い。例えば、ＬＴＥ−Ａ通信スキームでは、１２個の連続するサブキャリア周波数は、それぞれ所与の時間量（例えば５ｍｓ）の中に６又は７個のデータシンボルを送信し、物理リソースブロック（ＰＲＢ）を形成する。したがって、サブフレーム２０２ａ及び周波数セット２０４ａにより境界を定められる通信２００ａの領域は、２つのＰＲＢを表し得る。
【００４３】
データシンボルは、実数部及び虚数部を有する複素数であり、ビットのグループを、特定のサブキャリア周波数で送信される搬送波の１又は複数の変調特性に割り当てる。送信されるべきデータ信号、制御信号、又は他の信号のビットのグループは、該信号に関連するデータシンボルにエンコードされても良い。データシンボルは、データシンボル（又は元のデータシンボルの処理の結果生じたデータシンボル）により定められる変調特性を有する搬送波を介して、１又は複数のエンドポイント１０４へ（通常、１又は複数の処理ステップの後に）送信されても良い。一例として、データシンボルは、搬送波の位相変調又は振幅変調を定めても良い。データシンボルにより定められる変調特性は、データ信号、制御信号、又は他の信号のビットにより決定される。特定の実施形態は、ＱＰＳＫ（quadrature  phase-shift  keying）、ＱＡＭ（quadrature  amplitude  modulation）１６又はＱＡＭ６４変調を用いて、信号のビットからデータシンボルを生成しても良い。
【００４４】
種々の種類の情報が、送信サイト１０２とエンドポイント１０４との間で送信されても良い。情報種類の例は、データ信号２１２、制御信号２１０、及び他の信号を有する。データ信号２１２は、送信サイト１０２とエンドポイント１０４との間の接続を介して伝達される。例えば、限定ではなく、データ信号２１２は、（ＷＳＰネットワーク１０６又はＩＳＰネットワーク１０８のような）送信サイト１０２に結合されたネットワークから又は同じセル若しくは異なるセル内にある別のエンドポイント１０４から、送信サイト１０２が受信する情報を含んでも良い。特定の実施形態では、データ信号２１２は、送信サイト１０２からエンドポイント１０４へ、ＬＴＥ−Ａプロトコルで定められるようなＰＤＳＣＨ（physical  downlink  shared  channel）を介して送信される。
【００４５】
送信サイト１０２からエンドポイント１０４へ送信される制御信号２１０及び（同期信号２０６及びブロードキャストチャネル信号２０８のような）他の信号は、送信サイト１０２とエンドポイント１０４との間の接続を設定し維持するために用いられても良い。制御信号２１０は、エンドポイント１０４に、エンドポイント１０４へ送信されたデータ信号１１２を再生させる情報（例えば、スケジューリング又は復調情報）を含んでも良い。特定の実施形態では、制御信号２１０及び他の信号のうちの少なくとも一部は、ＬＴＥ−Ａ標準に従っても良い。例えば、図示の実施形態では、同期信号２０６は、１次同期信号（primary  synchronization  signal：ＰＳＳ）及び２次同期信号（secondary  synchronization  signal：ＳＳＳ）を有しても良く、ブロードキャストチャネル信号２０８は、ＰＢＣＨ（physical  broadcast  channel）信号を有しても良く、制御信号２１０は、ＰＣＦＩＣＨ（physical  control  format  indicator  channel）信号及びＰＤＣＣＨ（physical  downlink  control  channel）信号を有しても良い。
【００４６】
同期信号２０６は、エンドポイント１０４に知られている１又は複数のシーケンスを有しても良い。図示の実施形態では、同期信号２０６は、１番目のサブフレーム２０２ａ及び６番目のサブフレーム２０２ｆで送信される。特定の実施形態では、同期信号２０６の送信は、周期的に繰り返される（例えば、１０サブフレーム毎に２回）。エンドポイント１０４が送信サイト１０２から信号を受信し始めるとき（例えば、電源を入れられると又は送信サイト１０２の範囲に入ると）、エンドポイントは、送信サイト１０２からの通信に同期するために、同期信号２０６を探索して参照点を決定しても良い。特定の実施形態では、同期信号２０６は、通信の周波数範囲の一部のみを用いて送信される。例えば、同期信号２０６は、狭帯域に位置するサブキャリア周波数を用いて送信されても良い。図示の実施形態では、同期信号２０６は、周波数セット２０４ｆ−２０４ｋを用いて送信される。
【００４７】
ブロードキャストチャネル信号２０８も、狭帯域に位置するサブキャリア周波数を用いて周期的に送信されても良い。図示の実施形態では、ブロードキャストチャネル信号２０８は、同期信号２０６と同じサブキャリア周波数を用いて送信される。ブロードキャストチャネル信号２０８は、送信サイト１０２の構成情報を有しても良く、送信サイト１０２からの特定の信号がどのように復号化されるかを示しても良い。ブロードキャストチャネル信号２０８は、送信サイト１０２により用いられる周波数範囲のような、全てのエンドポイントに共通の情報を有しても良い。
【００４８】
制御信号２１０は、データ信号２１２の復号化を実現する。制御信号２１０は、送信サイト１０２からの通信のどのブロック（例えば、サブフレーム２０２）が各エンドポイント１０４へ送信されるデータ信号２１２を有するかを示しても良い。例えば、特定のサブフレーム２０２ａで送信される制御信号２１０は、特定のエンドポイント１０４へ向けられるデータ信号を含むサブフレーム２０２ａの特定のブロックを示しても良い。制御信号２１０は、データ信号２１２を含むブロックのいずれかの変調及びコードレートを示しても良い。制御信号２１０は、空間多重、送信ダイバーシティ、開ループＭＩＭＯ、閉ループＭＩＭＯのような送信サイト１０２により使用される送信スキームに関する情報を有しても良い。制御信号２１０の部分は、制御信号２１０の別の部分の長さ（例えば、データシンボルの数）を示しても良い。例えば、ＬＴＥ−Ａスキ―ムでは、制御信号２１０に含まれるＰＣＦＩＣＨ信号は、制御信号２１０に含まれるＰＤＣＣＨの長さを示しても良い。
【００４９】
図示の実施形態では、制御信号２１０は広帯域で送信される。つまり、制御信号２１０は、通信の周波数範囲全体に渡るサブキャリア周波数を用いて送信される。したがって、周波数範囲全体をサンプリングし、周波数範囲の任意のサブキャリア周波数を用いて送信された信号を復号化するよう構成される広帯域エンドポイント１０４ａは、制御信号２１０を正しく再生し、制御信号２１０を用いて広帯域エンドポイント１０４ａへ送信されたデータ信号２１２を再生できる。したがって、通信２００ａに示される通信の方法は、狭帯域エンドポイント１０４ｂと互換性がない。
【００５０】
通信２００ｂは、広帯域エンドポイント１０４ａ及び狭帯域エンドポイント１０４ｂの両方と互換性のある通信の種類を表す。通信２００ａと同様に、通信２００ｂは、時間の単位（サブフレーム２２２）及び周波数セット２２４に分けられる。通信２００ｂは、上述の通信２００ａの任意の適切な特性を有しても良い。
【００５１】
通信２００ａと同様に、通信２００ｂは、狭帯域の範囲内のサブキャリア周波数を用いた、同期信号２０６及びブロードキャストチャネル信号２０８の周期的送信を示す。図示の実施形態では、狭帯域は、周波数セット２２４ｆ−２２４ｋを有する。通信２００ｂは、データ信号２１４と共に多重化された広帯域拡張制御信号、及びデータ信号２１６と共に多重化された狭帯域拡張制御信号を有する。
【００５２】
信号２１４及び２１６に現れる拡張制御信号は、制御信号２１０に関して上述したような任意の適切な情報を有しても良い。これらの拡張制御信号を用いた通信方法は、制御信号２１０の送信に限定される通信スキームに優る種々の利点を提供できる。例えば、拡張制御信号は、送信サイト１０２を狭帯域エンドポイント１０４ｂと通信可能にする。他の例として、拡張制御信号は、制御信号２１０のみを用いる通信スキームに対して、制御チャネル容量の増大、及び制御チャネルリソースの空間再利用の向上に対応できる。拡張制御信号は、周波数領域のセル間干渉調整（inter-cell  interference  coordination：ＩＣＩＣ）、ビーム形成、又はダイバーシティにも対応できる。特定の実施形態では、信号２１４及び２１６に現れる拡張制御信号は、３ＧＰＰ  ＬＴＥ−Ａ  Ｒｅｌｅａｓｅ１１に定められる拡張ＰＤＣＣＨの１又は複数の機能を実装しても良い。
【００５３】
信号２１６は、周波数分割多重を用いてデータ信号と共に多重化された狭帯域拡張制御信号を有する。つまり、任意の特定の時間に、狭帯域の範囲内の幾つかのサブキャリア周波数は、拡張制御信号を送信しており、幾つかはデータ信号を送信していても良い。特定の実施形態では、これらの信号は、２以上のサブキャリア周波数のブロックに従って多重化される。例えば、（ＰＲＢのような）特定のブロックのサブキャリア周波数は、それぞれ、同じ種類の信号−拡張制御信号又はデータ信号−を伝達しても良い。信号２１４は、同様に多重化されるが、これらの信号は、狭帯域の範囲外にあるサブキャリア周波数を用いて送信される。
【００５４】
（制御信号２１０又は拡張制御信号のような）制御信号は、１又は複数の特定のエンドポイント１０４へ向けられるか、又は送信サイト１０２が通信する全てのエンドポイント１０４へ向けられても良い。制御信号は、任意の適切な方法で、１又は複数のエンドポイント１０４へ向けられても良い。特定の実施形態では、制御信号は、制御信号が向けられる１又は複数のエンドポイントを明確に識別しても良い。代替で、制御信号は、特定のエンドポイント、又は制御信号が向けられているエンドポイントに基づく部分を有しても良い。例えば、特定の実施形態では、制御信号の巡回冗長検査（ＣＲＣ）データは、宛先エンドポイントの識別子に基づき決定されても良い。したがって、エンドポイント１０４は、エンドポイント１０４の識別子と組み合わせて制御信号のＣＲＣデータを分析することにより、制御信号がエンドポイントへ向けられていることを検出しても良い。識別子は、エンドポイント１０４の物理アドレスのような任意の適切な情報であっても良い。特定の実施形態では、制御信号は、制御信号を送信するために用いられるサブキャリア周波数及び回数を示す制御信号の送信に先立ち、メッセージを送信することにより、１又は複数のエンドポイント１０４へ暗黙のうちに向けられても良い。別の例として、エンドポイント１０４は、周波数及び時間の特定のセットを用いて、全てのエンドポイント１０４へ送信される特定の制御信号を予期するよう予め構成されても良い。
【００５５】
制御信号の処理を助けるために、１又は複数の探索空間が、エンドポイント１０４のために定めれらても良い。共通の探索空間は、全てのエンドポイント１０４に共通の制御信号を送信するよう指定されたサブキャリア周波数のグループである。エンドポイント固有の探索空間は、特定のエンドポイント１０４へ制御信号を送信するために指定されるサブキャリア周波数のグループである。したがって、各エンドポイント１０４は、共通の探索空間及び自身のエンドポイント固有の探索空間を探索することにより、エンドポイント１０４へ向けられた制御信号を特定しても良い。探索空間は、任意の適切な方法でエンドポイント１０４により識別されても良い。例えば、エンドポイント１０４は、探索空間のうちの１又は複数を予め設定されても良い。または、探索空間は、送信サイト１０２によりエンドポイントへ送信されても良い。共通の探索空間は本来ブロードキャストされるので、送信サイト１０２は、ＳＦＢＣ（space-frequency  block  coding）又は開ループＭＩＭＯを用いて共通の探索空間内のサブキャリア周波数を用いて制御信号を通信し、同時にビーム形成又は閉ループＭＩＭＯを回避しても良い。
【００５６】
データ信号２１６と共に多重化される狭帯域拡張制御信号を含む周波数範囲の狭帯域部分は、周波数範囲の中のどこに位置しても良い。狭帯域エンドポイント１０４ｂは正しく動作するために同期信号２０６及びブロードキャストチャネル信号２０８を含む周波数範囲をサンプリング及び復号化できるべきなので、特定の実施形態では、狭帯域は、同期信号２０６及びブロードキャストチャネル信号２０８が送信される周波数を含む。例えば、図示の実施形態では、狭帯域は、周波数セット２２４ｆ−２２４ｋの何以内の周波数を有する。しかしながら、狭帯域部分は、追加周波数を含むよう広げられ、又はより少ない周波数を含むよう狭められても良い。狭帯域は周波数範囲の中央近くに中心があるが、狭帯域部分は周波数範囲のどこに位置しても良い。例えば、狭帯域は、周波数セット２２４ａ−２２４ｆ、２２４ｋ−２２４ｐ又は連続サブキャリア周波数の任意の適切な組を有しても良い。
【００５７】
図３は、送信サイト１０２により実行され得る広帯域エンドポイント１０４ａ及び狭帯域エンドポイント１０４ｂへ、制御信号、データ信号及び他の信号を送信する例示的な方法を示す。簡単のため、図３の方法の図示のステップは、送信サイト１０２の観点から記載されるが、それらは任意の適切な通信機又は複数の通信機により実行され得る。方法はステップ３０２で開始する。ステップ３０２で、少なくとも１つの探索空間は、周波数範囲の狭帯域部分内で、狭帯域エンドポイントに割り当てられる。例えば、送信サイト１０２は、狭帯域エンドポイント１０４ｂへ向けられる制御信号の送信のために１又は複数のサブキャリア周波数を指定しても良い。これらのサブキャリア周波数は、狭帯域の範囲内に位置する。探索空間は、（送信サイト１０２が少なくとも１つの狭帯域エンドポイント１０４ｂと通信すると仮定して、）１又は複数の狭帯域エンドポイント１０４ｂへ向けられる制御信号のために指定されるエンドポイント固有の探索空間、又は全てのエンドポイント１０４ｂへ向けられる制御信号のための共通の探索空間であっても良い。特定の実施形態では、特定の狭帯域エンドポイント１０４ｂに適用可能な探索空間（つまり、狭帯域エンドポイント１０４ｂに向けられる制御信号を送信するサブキャリア周波数）は、狭帯域エンドポイント１０４ｂ向けのデータを含む通信２００ｂが狭帯域エンドポイント１０４ｂへ送信される前に、送信サイト１０２により狭帯域エンドポイント１０４ｂへ通信されても良い。
【００５８】
ステップ３０４で、少なくとも１つの探索空間は、周波数範囲内で、広帯域エンドポイントのために割り当てられる。例えば、送信サイト１０２は、広帯域エンドポイント１０４ａへ向けられる制御信号の送信のために１又は複数のサブキャリア周波数を指定しても良い。これらのサブキャリア周波数は、周波数が利用可能な場合、狭帯域を含む周波数範囲内のどこに位置しても良い。これらの探索空間は、１又は複数の特定の広帯域エンドポイント１０４ａへ向けられる制御信号のために指定されても良い（例えば、探索空間は、エンドポイント固有の探索空間であっても良い）。特定の実施形態では、特定の広帯域エンドポイント１０４ａに適用可能な探索空間（つまり、広帯域エンドポイント１０４ａに向けられる制御信号を送信するサブキャリア周波数）は、広帯域エンドポイント１０４ａ向けのデータを含む通信２００ｂが広帯域エンドポイント１０４ａへ送信される前に、送信サイト１０２により広帯域エンドポイント１０４ａへ通信されても良い。
【００５９】
ステップ３０６で、広帯域制御信号、狭帯域同期信号、及び狭帯域ブロードキャストチャネル信号はスケジューリングされる。スケジューリングは、信号を送信する１又は複数のサブキャリア周波数、及び指定されたサブキャリア周波数が信号を送信する１又は複数の時間を決定するステップを有しても良い。ステップ３０２の例として、送信サイト１０２は、制御信号２１０、同期信号２０６、及びブロードキャスト信号２０８をスケジューリングしても良い。広帯域制御信号は、周波数範囲の狭帯域部分の外側に位置する少なくとも１つのサブキャリア周波数を用いて送信される制御信号を表す。狭帯域同期信号は、それぞれ狭帯域の内側にあるサブキャリア周波数を用いて送信される同期信号を表す。同様に、狭帯域ブロードキャストチャネル信号は、それぞれ狭帯域の内側にあるサブキャリア周波数を用いて送信されるブロードキャストチャネル信号を表す。
【００６０】
ステップ３０８で、拡張制御信号は、適切な探索空間内で送信のためにスケジューリングされる。例えば、拡張制御信号は、全てのエンドポイント１０４へ向けられる場合、狭帯域の中の共通の探索空間に置かれる。別の例として、拡張制御信号が１又は複数の狭帯域エンドポイント１０４ｂへ向けられる場合、拡張制御信号は、狭帯域内の適切なエンドポイント固有の探索空間の範囲内でスケジューリングされる。更に別の例として、拡張制御信号は、１又は複数の特定の広帯域エンドポイント１０４ａへ向けられる場合、狭帯域内又は狭帯域の外側にある適切なエンドポイント固有の探索空間の範囲内に位置づけられても良い。
【００６１】
ステップ３１０で、データは、周波数範囲の狭帯域部分内で、狭帯域エンドポイントのためにスケジューリングされる。例として、送信サイト１０２は、同期信号２０６、ブロードキャストチャネル信号２０８、又は拡張制御信号のような他の信号の送信のために使用されない狭帯域内に位置するサブキャリア周波数を有するブロックを用いて、１又は複数の狭帯域エンドポイント１０４ｂへ送信するためにデータ信号をスケジューリングしても良い。特定の実施形態では、狭帯域エンドポイント１０４ｂが図５に更に詳細に示すような狭帯域内のサブキャリア周波数を用いて送信される制御信号を用いてこれらのデータ信号を復号化できる場合、送信サイト１０２は、狭帯域の外側に位置するサブキャリア周波数を有するブロックを用いて１又は複数の狭帯域エンドポイント１０４ｂへ送信するためにデータ信号をスケジューリングしても良い。
【００６２】
ステップ３１２で、データは、周波数範囲内で、広帯域エンドポイントのためにスケジューリングされる。例として、送信サイト１０２は、同期信号２０６、ブロードキャストチャネル信号２０８、又は拡張制御信号のような他の信号の送信のために使用されない利用可能なブロックを用いて、１又は複数の広帯域エンドポイント１０４ａへ送信するためにデータ信号をスケジューリングしても良い。
【００６３】
ステップ３１４で、広帯域制御信号は送信される。例えば、送信サイト１０２は、周波数範囲全体に渡るサブキャリア周波数を介して、制御信号２１０を送信しても良い。通信図２００ｂに示すように、制御信号２１０は、各サブフレーム２２２の始めに送信される。
【００６４】
ステップ３１６で、多重化されたデータ及び拡張制御信号は、送信される。例えば、送信サイト１０２は、データ信号２１４と共に多重化された広帯域拡張制御信号、及びデータ信号２１６と共に多重化された狭帯域拡張制御信号を送信しても良い。拡張制御信号及びデータ信号は、周波数分割多重を用いて多重化されても良い。したがって、所与の時間で、特定のサブキャリア周波数はデータ信号を送信し、他のサブキャリア周波数は拡張制御信号を送信しても良い。異なる時点で、サブキャリア周波数の異なるセットがデータ信号を送信し、一方、他のサブキャリア周波数は拡張制御信号を送信しても良い。
【００６５】
ステップ３１８で、狭帯域同期信号は送信される。例えば、送信サイトは、狭帯域の範囲内のサブキャリア周波数を用いて同期信号２０６を送信しても良い。この送信と同時に、データ信号２１４と共に多重化された広帯域拡張制御信号は、狭帯域の外側で送信されても良い。実施形態では、狭帯域は同期信号２０６の送信中に利用されないサブキャリア周波数を含み、これらのサブキャリア周波数は、同期信号２０６の送信と同時に、データ信号２１６と共に多重化された狭帯域拡張制御信号を送信するために用いられても良い。
【００６６】
ステップ３２０で、狭帯域ブロードキャストチャネル信号は送信され、方法は終了する。例えば、送信サイトは、狭帯域の範囲内のサブキャリア周波数を用いてブロードキャストチャネル信号２０８を送信しても良い。この送信と同時に、データ信号２１４と共に多重化された広帯域拡張制御信号は、狭帯域の外側で送信されても良い。実施形態では、狭帯域はブロードキャストチャネル信号２０８の送信中に利用されないサブキャリア周波数を含み、これらのサブキャリア周波数は、ブロードキャストチャネル信号２０８の送信と同時に、データ信号２１６と共に多重化された狭帯域拡張制御信号を送信するために用いられても良い。
【００６７】
図３に示したステップの幾つかは、適切な場合には結合、変更又は削除されても良く、追加のステップがフローチャートに追加されても良い。ステップのうちの任意のものは繰り返されても良い。さらに、ステップは、個々の実施形態の範囲から逸脱することなく任意の適切な順序で実行されても良い。さらに、特定の実施形態では、方法のステップのうちの２以上は同時に実行されても良い。図３のステップは送信サイト１０２に関して記載されたが、それらは、任意の適切な通信機により実行されても良い。
【００６８】
図４は、狭帯域エンドポイント１０４ｂにより実行され得る制御信号及びデータ信号を処理する例示的な方法を示す。簡単のため、図４の方法の図示のステップは、エンドポイント１０４の観点から記載されるが、それらは任意の適切な通信機により実行され得る。方法はステップ４０２で開始する。すて４０２で、狭帯域エンドポイント１０４ｂはアイドル又は休止状態に入る。エンドポイント１０４ｂは、アイドル状態のとき、データを送信又は受信しないので、節電モードで動作する。エンドポイント１０４ｂは、周期的に覚醒し、送信サイト１０２からの通信を分析して、データがエンドポイントへ送信されるべきであると示す、エンドポイント１０４ｂ向けのページングメッセージを通信が含むか否かを決定する。ページングメッセージが存在しない場合、エンドポイント１０４ｂは、覚醒しページングメッセージを再びチェックするようスケジューリングされるまでアイドル状態に戻っても良い。アイドル状態では、エンドポイント１０４ｂは、送信サイト１０２とのアクティブな接続を有しなくても良い。したがって、エンドポイント１０４ｂは、データ信号を送信又は受信する前に、送信サイト１０２との接続を確立するためにランダムアクセス手順を実行する必要がない。エンドポイント１０４ｂは、休止状態のとき、データを送信又は受信しないので、節電モードで動作する。しかしながら、休止状態のエンドポイント１０４ｂは、少なくとも１つの送信サイト１０２に接続され、アイドル状態のエンドポイントよりも頻繁に覚醒する。覚醒すると、エンドポイント１０４ｂは、送信サイト１０２からの通信がエンドポイント１０４ｂ向けのデータ信号を含むか否かをチェックしても良い。通信がそのようなデータ信号を含まない場合、エンドポイント１０４ｂは休止状態に戻る。休止状態のエンドポイントは、所定の時間期間の間、データを受信しない場合、アイドル状態に入っても良い。
【００６９】
ステップ４０４で、エンドポイントは、覚醒する前に、所定の時間期間待つ。例として且つ限定ではなく、休止状態のエンドポイントは５秒待ち、アイドル状態のエンドポイントは２００ミリ秒待っても良い。ステップ４０６で、エンドポイント１０４ｂは、覚醒し、狭い帯域幅で（つまり狭帯域で）ベースバンドサンプリングを実行する。つまり、エンドポイント１０４ｂは、周波数範囲の狭帯域部分を再生するために、十分なレートで送信サイト１０２からの送信をサンプリングする。狭帯域でサンプリングするＡＤＣのサンプリングレートは、周波数範囲全体でサンプリングするのに必要なサンプリングレートより低い。狭帯域サンプリングは、サンプルを格納するために必要なメモリ量も低減する。
【００７０】
ステップ４０８で、狭帯域処理は、共通の探索空間で、及びエンドポイント１０４ｂに関連付けられたエンドポイント固有の探索空間で、実行され、拡張制御信号を復号化する。処理は、拡張制御信号の復号化を助ける任意の適切な動作を有しても良い。例えば、処理は、サンプリングされた信号のフィルタリング、サンプリングされた信号に対する離散フーリエ変換（ＤＦＴ）の実行、サンプリングされた信号の復調、又は他の適切な処理を有しても良い。次に、処理された信号は、これらの信号のうちの任意のものがエンドポイント１０４ｂへ向けられた拡張制御信号を含むか否かを決定するために、分析される。特定の実施形態では、この分析は、拡張制御信号がエンドポイント１０４に向けられているか否かを決定するために、エンドポイント１０４ｂの物理アドレスと組み合わせて、拡張制御信号のＣＲＣ値のチェックを含んでも良い。他の例として、この分析は、拡張制御信号が特定のブロックを用いて送信されたので、又は拡張制御信号が全てのエンドポイント１０４に向けられていることを示す情報を含むので、拡張制御信号が全てのエンドポイント１０４に向けられた制御信号であるという決定に関連しても良い。
【００７１】
ステップ４１０で、エンドポイント１０４ｂへ向けられた制御信号は復号化され、送信サイト１０２からの通信がエンドポイント１０４ｂ向けのデータを含むか否かが決定される。例えば、通信は、エンドポイント１０４ｂへ送信されるページングメッセージ或いは１又は複数のデータ信号の少なくとも１つの部分を有しても良い。データが存在しない場合、ステップ４０２で、エンドポイント１０４ｂはアイドル又は休止状態に戻る。エンドポイント１０４ｂ向けのデータが存在する場合、ステップ４１２で、エンドポイントは、データを復号化するために狭帯域処理を実行する。つまり、エンドポイントは、狭帯域の範囲内にあるサブキャリア周波数を用いて送信された情報に対して処理を実行しても良い。データ信号を復号化するために実行される処理は、拡張制御信号を復号化するために実行される処理と同様であっても良い。特定の実施形態では、拡張制御信号は、送信のどのブロックがエンドポイント１０４ｂ向けのデータ信号を含むかを指定しても良い。エンドポイント１０４ｂは、この情報を用いて、これらのブロックを復号化しデータ信号を再生しても良い。
【００７２】
ステップ４１４で、エンドポイント１０４ｂは、広帯域動作が実行されるべきか否かを決定する。つまり、エンドポイント１０４ｂは、広帯域エンドポイント１０４ａとして動作するために自身の構成を変更すべきか否かを決定する。エンドポイント１０４ｂは、自身の設定を変更すべきではないと決定した場合、狭帯域モードで送信サイト１０２からの通信を処理し続ける。つまり、エンドポイント１０４ｂは、狭帯域部分でサンプリングを実行し、狭帯域に位置するサブキャリア周波数を介して送信された制御信号のみを復号化する。エンドポイント１０４ｂが自身の設定を変更すべきであると決定した場合、ステップ４１８で、該エンドポイントは、広帯域モードで、送信サイト１０２からの将来の通信をサンプリングし処理する。つまり、エンドポイント１０４は、周波数範囲全体でサンプリングを実行し、狭帯域の外側のサブキャリア周波数を含む周波数範囲のサブキャリア周波数のうちの任意のものを介して送信される制御信号を復号化しても良い。このような機能は、エンドポイント１０４がデータのための通信をチェックするためにアイドル又は休止状態から繰り返し覚醒するときに狭帯域モードで操作することにより、エンドポイント１０４に電力を節約させ、次に、データがエンドポイント１０４へ送信されているとき、より迅速にデータを受信するために広帯域モードに再構成させる。狭帯域エンドポイント１０４ｂが狭帯域モードでのみ動作可能な場合、ステップ４１４及び４１８は方法から省略されても良い。特定の実施形態では、送信サイト１０２は、狭帯域エンドポイント１０４ｂが広帯域モードに切り替えるよう構成され、したがって最初の通信（例えばサブフレーム）で制御信号及びデータ信号を狭帯域部分に制限すること、一方、後続の通信では制御信号及びデータ信号は周波数範囲内の適切なサブキャリア周波数を用いて送信されても良いことを検出するよう動作可能である。
【００７３】
図４に示したステップの幾つかは、適切な場合には結合、変更又は削除されても良く、追加のステップがフローチャートに追加されても良い。ステップのうちの任意のものは繰り返されても良い。さらに、ステップは、個々の実施形態の範囲から逸脱することなく任意の適切な順序で実行されても良い。さらに、特定の実施形態では、方法のステップのうちの２以上は同時に実行されても良い。図４のステップはエンドポイント１０４に関して記載されたが、それらは、任意の適切な通信機により実行されても良い。
【００７４】
図５は、狭帯域エンドポイント１０４ｂにより実行され得る制御信号及びデータ信号を処理する例示的な方法を示す。ステップ５０２及び５０４は、図４のステップ４０２及び４０４と同様である。ステップ５０６で、エンドポイント１０４ｂは、全帯域幅でベースバンドサンプリングを実行する。つまり、エンドポイント１０４ｂは、周波数範囲全体を再生するために、十分なレートで送信サイト１０２からの送信をサンプリングする。これは、狭帯域におけるベースバンドサンプリングと比べて速いＡＤＣサンプリングレート及びサンプルを格納するために追加メモリを必要とするが、以下に詳述するように、この方法は、エンドポイント１０４ｂへ送信されたデータ信号を、最初の通信で周波数範囲の広帯域部分に含まれるようにする。
【００７５】
ステップ５０８で、共通の探索空間及びエンドポイント固有の探索空間における狭帯域処理は、狭帯域の範囲内にあるサブキャリア周波数を用いて送信される拡張制御信号を復号化するために実行される。このステップは、図４のステップ４０８と同様であっても良い。ステップ５１０で、エンドポイント１０４ｂ向けのデータが通信に含まれるか否かが決定される。データが存在しない場合、方法はステップ５０２に戻る。データが存在する場合、エンドポイント１０４ｂは、データが周波数範囲の狭帯域部分に限られているか否かを決定する。つまり、エンドポイント１０４ｂは、エンドポイント向けのデータ信号が狭帯域のサブキャリア周波数のみを用いて送信されているか否かを決定しても良い。その場合、ステップ４１２と同様のステップ５１４が実行される。少なくとも１つのデータ信号が狭帯域の外側のサブキャリア周波数を用いて送信される場合、データ信号を復号化するために広帯域処理が実行される。広帯域処理は、データ信号の復号化を助ける任意の適切な動作を有しても良い。例えば、処理は、サンプリングされた信号のフィルタリング、サンプリングされた信号に対する離散フーリエ変換（ＤＦＴ）の実行、サンプリングされた信号の復調、又は他の適切な処理を有しても良い。広帯域処理は、狭帯域処理よりも複雑な処理を有しても良い。例えば、広帯域処理は、サンプリングされた信号に対する大規模ＤＦＴの実行を有しても良い。広帯域処理の結果、周波数範囲の狭帯域部分の外側にあるサブキャリア周波数を用いて送信されたデータ信号の再生を生じる。特定の実施形態では、周波数範囲の狭帯域部分の範囲内にある拡張制御信号は、エンドポイント１０４ｂ向けのデータ信号を含む狭帯域の外側のブロックを指定しても良い。エンドポイント１０４ｂは、この情報を用いて、これらのブロックを復号化しデータ信号を再生しても良い。
【００７６】
ステップ５１８で、エンドポイント１０４ｂは、広帯域動作が実行されるべきか否かを決定する。このステップは、図４のステップ４１４と同様であっても良い。エンドポイント１０４ｂがエンドポイント１０４ｂは自身の構成を広帯域動作に変更すべきではないと決定した場合、ステップ５２０で、エンドポイント１０４ｂは、自身のサンプリング及び処理手順を維持する。例えば、エンドポイント１０４ｂは、ステップ５０２−５１６で記載した方法で、通信を処理し続けても良い。エンドポイント１０４ｂがエンドポイント１０４ｂは自身の設定を広帯域動作に変更すべきであると決定した場合、該エンドポイントは、広帯域モードで、送信サイト１０２からの将来の通信をサンプリングし処理する。つまり、エンドポイント１０４は、周波数範囲全体でサンプリングを実行し、狭帯域の外側のサブキャリア周波数を含む周波数範囲のサブキャリア周波数のうちの任意のものを介して送信される信号を復号化する。
【００７７】
図５の方法は、狭帯域に位置するサブキャリア周波数を介して送信された制御信号を復号化するよう構成されるだけのエンドポイントへ、狭帯域の外側のサブキャリア周波数を用いて、データ信号を送信可能にする。このような実施形態は、データ転送処理を高速化できる。
【００７８】
図５に示したステップの幾つかは、適切な場合には結合、変更又は削除されても良く、追加のステップがフローチャートに追加されても良い。ステップのうちの任意のものは繰り返されても良い。さらに、ステップは、個々の実施形態の範囲から逸脱することなく任意の適切な順序で実行されても良い。さらに、特定の実施形態では、方法のステップのうちの２以上は同時に実行されても良い。図５のステップはエンドポイント１０４に関して記載されたが、それらは、任意の適切な通信機により実行されても良い。
【００７９】
本開示の種々の実施形態は、１又は複数の技術的利点を提供し得る。特定の実施形態の技術的利点は、送信サイトからの通信をサンプリング及び処理するときに複雑性の少ない計算の実行を含むことである。別の技術的利点は、エンドポイントの製造コストの低減を含むことである。別の技術的利点は、少ない電力消費を含むことである。他の技術的利点は、添付の図面、説明及び特許請求の範囲から当業者に直ちに明らかである。
【００８０】
さらに、特定の利点が以上に列挙されたが、種々の実施形態は列挙された利点の全て、一部を含んでもよく、又は含まなくてもよい。
【００８１】
特定の実施形態が詳細に記載されたが、種々の他の変更、置換及び修正が特定実施形態の精神及び範囲から逸脱することなく行われうることが理解されるべきである。例えば、実施形態は、プロセッサ、メモリ、記憶装置、インタフェース及びバスのような送信サイト１０２及びエンドポイント１０４に含まれる多数の要素に関して記載されたが、これらの要素は、特定の無線アーキテクチャ又は必要に適合するために結合され、再配置され、位置づけられても良い。さらに、これらの要素のうちの任意のものは、適切な場合には送信サイト１０２、エンドポイント１０５又は互いに別個の外部のコンポーネントとして設けられても良い。特定の実施形態は、これらの要素の内部コンポーネントと同様に、これらの要素の配置においても大きな柔軟性を意図する。
【００８２】
多くの他の変更、代替、変形、選択、及び修正が当業者により解明され得る。また、特定の実施形態は、全てのこのような変更、代替、変形、選択、及び修正を添付の請求の範囲の精神及び範囲に包含するものとする。
【図１】
0005949947.tif 000002
【図２Ａ】
0005949947.tif 000003
【図２Ｂ】
0005949947.tif 000004
【図３】
0005949947.tif 000005
【図４】
0005949947.tif 000006
【図５】
0005949947.tif 000007